(57)【要約】【課題】  特に、軽度の身障者や高齢者が、敷布団、ベッド、椅子、食卓、こたつ等の場から立ち上がる際や、そうした場に立ち下がる場合にも、それを支援することのできる離床支援用の手すりを提供する。【解決手段】  平板状の支持板部１１の一方側端部から、平板状の補助板部１２を横設した基板１０と、支持板部１１の前端部から立設された鉛直外基筒２０と、鈎状で、基端部が支持板部１１の後端部から立設され、先端部が鉛直外基筒２０の所定高さ部分に連結された第一手すり部材３０と、鉛直外基筒２０に垂直方向に伸縮自在に嵌挿された鉛直内筒４１の先端部に、手すり本体４２を固定した第二手すり部材４０と、で構成する。【選択図】      図１
0003127402.tif 000002
【実用新案登録請求の範囲】
【請求項１】
軽度の身障者や高齢者などが，敷布団（Ｆ），ベッド（Ｂ），椅子，食卓，こたつ等の場から立ち上がる際や，そうした場へ立ち下がる際に，それを支援するための離床支援用の手すりであって、平板状の支持板部（１１）の一方側端部から，平板状の補助板部（１２）を横設した基板（１０）と、前記支持板部の前端部から立設された鉛直外基筒（２０）と、鈎状で，基端部が前記支持板部の後端部から立設され，先端部が前記鉛直外基筒の所定高さ部分に連結された第一手すり部材（３０）と、前記鉛直外基筒に垂直方向に嵌挿された鉛直内筒（４１）の先端部に，手すり本体（４２）を固定した第二手すり部材（４０）と、からなる離床支援手すり。
【請求項２】
軽度の身障者や高齢者などが，敷布団（Ｆ），ベッド（Ｂ），椅子，食卓，こたつ等の場から立ち上がる際や，そうした場へ立ち下がる際に，それを支援するための離床支援用の手すりであって、平板状の支持板部（１１）の一方側端部から，平板状の補助板部（１２）を横設した基板（１０）と、前記支持板部の前端部から立設された鉛直外基筒（２０）と、鈎状で，基端部が前記支持板部の後端部から立設され，先端部が前記鉛直外基筒の所定高さ部分に連結された第一手すり部材（３０）と、前記鉛直外基筒に垂直方向に伸縮自在に嵌挿された鉛直内筒（４１）の先端部に，手すり本体（４２）を固定した第二手すり部材（４０）と、からなる離床支援手すり。
【請求項３】
軽度の身障者や高齢者などが，敷布団（Ｆ），ベッド（Ｂ），椅子，食卓，こたつ等の場から立ち上がる際や，そうした場へ立ち下がる際に，それを支援するための離床支援用の手すりであって、平板状の支持板部（１１）の一方側端部から，平板状の補助板部（１２）を横設した基板（１０）と、前記支持板部の前端部から立設された鉛直外基筒（２０）と、鈎状で，基端部が前記支持板部の後端部から立設され，先端部が前記鉛直外基筒の所定高さ部分に連結された第一手すり部材（３０）と、前記鉛直外基筒に垂直方向に伸縮自在に嵌挿された鉛直内筒（４１）の先端部に，手すり本体（４２）を固定した第二手すり部材（４０）と、コ字状で，両端部が，前記鉛直外基筒の前記第一手すり部材と第二手すり部材との間に上下位置調節可能に固定された第三手すり部材（５０）と、からなる離床支援手すり。
【請求項４】
第二手すり部材（４０）の手すり本体（４２）を円盤状としてなる請求項１，２または３に記載の離床支援手すり。
【考案の詳細な説明】
【技術分野】
【０００１】
本考案は、例えば、身障者や高齢者が、敷布団、ベッド、椅子、食卓、こたつ等の場から立ち上がる際や、その場へ立ち下がる（寝る、または座る）際に、そうした動作を容易なものとすることのできる離床支援用の手すりに関するものである。
【背景技術】
【０００２】
図７を参照して説明する。従来から、軽度の身障者や高齢者が、敷布団Ｆやベッドの上に寝ている状態から、上体を起こす際や寝返りを打つ際に使用する、いわゆる離床支援手すり７０が使用されている。この手すり７０は、基板７１の上に鉛直外基筒７２を立設し、その鉛直外基筒７２から下横枠７３および上横枠７４を横設したものであり、上体を起こす際に、その下横枠７２や上横枠７３を手で持って、そうした動作を容易に行えるようにしたものである。
【考案の開示】
【考案が解決しようとする課題】
【０００３】
この従来の離床支援手すり７０は、上体を起こすためや寝返りを打つ際には便利ではあるが、立ち上がる場合や立ち下がる場合には、高さが不足し、手で持つ部分が存在しないため不便である。
【０００４】
本考案はこうした問題に鑑み創案されたもので、特に、軽度の身障者や高齢者が、敷布団、ベッド、椅子、食卓、こたつ等の場から立ち上がる際や、そうした場に立ち下がる場合にも、それを支援することのできる離床支援用の手すりを提供することを課題とする。
【課題を解決するための手段】
【０００５】
図１乃至図６を参照して説明する。請求項１に記載の離床支援手すり１は、軽度の身障者や高齢者などが、敷布団Ｆ、ベッドＢ、椅子、食卓、こたつ等の場から立ち上がる際や、そうした場へ立ち下がる際に、それを支援するためのものであって、平板状の支持板部１１の一方側端部から、平板状の補助板部１２を横設した基板１０と、前記支持板部１１の前端部から立設された鉛直外基筒２０と、鈎状で、基端部が前記支持板部１１の後端部から立設され、先端部が前記鉛直外基筒２０の所定高さ部分に連結された第一手すり部材３０と、前記鉛直外基筒２０に垂直方向に嵌挿された鉛直内筒４１の先端部に、手すり本体４２を固定した第二手すり部材４０と、からなるものである。
【０００６】
請求項２に記載の離床支援手すり１は、軽度の身障者や高齢者などが、敷布団Ｆ、ベッドＢ、椅子、食卓、こたつ等の場から立ち上がる際や、そうした場へ立ち下がる際に、それを支援するためのものであって、平板状の支持板部１１の一方側端部から、平板状の補助板部１２を横設した基板１０と、前記支持板部１１の前端部から立設された鉛直外基筒２０と、鈎状で、基端部が前記支持板部１１の後端部から立設され、先端部が前記鉛直外基筒２０の所定高さ部分に連結された第一手すり部材３０と、前記鉛直外基筒２０に垂直方向に伸縮自在に嵌挿された鉛直内筒４１の先端部に、手すり本体４２を固定した第二手すり部材４０と、からなるものである。
【０００７】
請求項３に記載の離床支援手すり１は、軽度の身障者や高齢者などが、敷布団Ｆ、ベッドＢ、椅子、食卓、こたつ等の場から立ち上がる際や、そうした場へ立ち下がる際に、それを支援するための離床支援用の手すりであって、平板状の支持板部１１の一方側端部から、平板状の補助板部１２を横設した基板１０と、前記支持板部１１の前端部から立設された鉛直外基筒２０と、鈎状で、基端部が前記支持板部１１の後端部から立設され、先端部が前記鉛直外基筒２０の所定高さ部分に連結された第一手すり部材３０と、前記鉛直外基筒２０に垂直方向に伸縮自在に嵌挿された鉛直内筒４１の先端部に、手すり本体４２を固定した第二手すり部材４０と、コ字状で、両端部が、前記鉛直外基筒２０の前記第一手すり部材３０と第二手すり部材４０との間に上下位置調節可能に固定された第三手すり部材５０と、からなるものである。
【０００８】
請求項４に記載の離床支援手すり１は、請求項１，２または３に記載の考案において、第二手すり部材４０の手すり本体４２を円盤状としてなるものである。
【考案の効果】
【０００９】
請求項１に記載の離床支援手すり１は、鉛直外基筒２０に垂直方向に嵌挿された鉛直内筒４１の先端部に、手すり本体４２を固定した第二手すり部材４０を設けているので、敷布団Ｆ、ベッドＢ、椅子、食卓、こたつ等の場から立ち上がる際や、そうした場へ立ち下がる際に、手で手すり本体４２を持って身体を支えることができるので、立ち上がりや、立ち下がりを容易に行うことができる。
【００１０】
なお、鈎状で、基端部が支持板部１１の後端部から立設され、先端部が鉛直外基筒２０の所定高さ部分に連結された第一手すり部材３０を設けているので、上体を起こす際や、寝返りを打つ際に、この第一手すり部材３０を手で持つことによって、それらの動作を容易に行うことができる。
【００１１】
また、基板１０を、支持板部１１の一方側端部から補助板部１２を横設して形成しているので、第一手すり部材３０や第二手すり部材４０を持った際でも、当該離床支援手すり１は倒れることがない。従って、安定性に優れ、安全である。
【００１２】
なお、この第一手すり部材３０は、手すりとして使用するものであるが、鉛直外基筒２０を支持する支持部材としてのはたらきも担う。
【００１３】
請求項２に記載の離床支援手すり１は、鉛直外基筒２０に垂直方向に嵌挿された鉛直内筒４１の先端部に、手すり本体４２を固定した第二手すり部材４０を設けているので、請求項１に記載の考案の効果に加えて敷布団ＦやベッドＢなどの高さに応じて、その高さ位置を無段階で自在に調整することができる。従って、高さの異なるあらゆる場からの立ち上がりや立ち下がりを、容易に行うことができる。
【００１４】
請求項３に記載の離床支援手すり１は、請求項１または２に記載の考案と同様に、第二手すり部材４０によって、敷布団ＦやベッドＢなどから容易に立ち上がることができ、また、そうした場に容易に立ち下がることができる。また、第一手すり部材３０によって、容易に上体を起こしたり、寝返りを打つことができる。
【００１５】
また、コ字状で、両端部が、鉛直外基筒２０の前記第一手すり部材３０と第二手すり部材４０との間に上下位置調節可能に固定された第三手すり部材５０を設けているので、特に、ベッドＢのように敷布団Ｆより高い場所において上体を起こしたり、寝返りを打つ際に、当該第三手すり部材５０を持つことによって、それらの動作を容易に行うことができる。
【００１６】
請求項４に記載の離床支援手すり１は、請求項１，２または３に記載の考案と同様の効果を発揮すると共に、第二手すり部材４０の手すり本体４２を円盤状としているので、どの方向からでも同じように手で持ったり、手をあてがって身体を支えることができる。従って、極めて使い勝手に優れる。また、円盤状であるため部分的な凹部がなく、よって、誤って手を外してしまう危険性も少ないので安全性も高い。
【考案を実施するための最良の形態】
【００１７】
本考案に係る離床支援手すり１の第一実施形態を、図１乃至図６に示す。これは、軽度の身障者や高齢者などが、敷布団Ｆやこたつ等の低い場所から立ち上がる際や、そうした場へ立ち下がる際に、それを支援するための離床支援用の手すりであって、基板１０、鉛直外基筒２０、第一手すり部材３０、および第二手すり部材４０とで構成される。敷布団Ｆで使用する場合には、基板１０の補助板部１２を敷布団Ｆの下に配置させる。
【００１８】
基板１０は、平面略長方形で平板状の支持板部１１の一方側端部から、平板状の補助板部１２を横設したものである。鉛直外基筒２０は、支持板部１１の前端部から立設される。なお、基板１０と鉛直外基筒２０との間には、補強部材１５を設けて、当該鉛直外基筒２０を強固に固定している。なお、図２に示すように、支持板部１１は金属板１３を備え、それと補強部材１５とをクッションカバー１４で覆い、安全性を確保している。
【００１９】
第一手すり部材３０は、鈎状で、その基端部を支持板部１１の後端部から立設し、先端部を鉛直外基筒２０のほぼ中間高さ部分に連結している。
【００２０】
第二手すり部材４０は、鉛直外基筒２０に垂直方向に伸縮自在に嵌挿された鉛直内筒４１の先端部に、手すり本体４２を固定して構成している。この手すり本体４２は円盤状とし、その外装部分は柔軟材で形成し、手を傷つけないようにしている。なお、この手すり本体４２は、円盤状に限定されず、例えば、四角板形状や、第一手すり部材３０のようなパイプ状とすることもできる。
【００２１】
鉛直外基筒２０は円筒パイプで形成し、その上端部に複数のスリット２１を縦方向に形成している。そして、図４および図５に示すように、この円筒パイプの上端部に鉛直内筒４１を挿入し、当該円筒パイプ（鉛直外基筒２０）に嵌装した締結具６０のレバー６１を回動することによって締め付け、第二手すり部材４０を鉛直外基筒２０に固定するようにしている。なお、締結具６０は、怪我防止のために軟質材製の安全カバー６２で覆っている。
【００２２】
本実施形態に係る離床支援手すり１は、第二手すり部材４０を設けているので、特に、敷布団Ｆやこたつ等の場から立ち上がる際や、そうした場へ立ち下がる際に、手すり本体４２を持って身体を支えることによって、そうした動作を容易に行うことができる。
【００２３】
また、この第二手すり部材４０は、垂直方向に伸縮自在であるので、敷布団Ｆやこたつなどに合わせてその高さ位置を無段階で自在に調整することができる。従って、敷布団Ｆやこたつ等の低い場から、容易に立ち上がったり、立ち下がったりすることができる。
【００２４】
なお、この離床支援手すり１は、第一手すり部材３０を設けているので、敷布団Ｆやこたつ等で上体を起こす際や、寝返りを打つ際に、この第一手すり部材３０を手で握ることによって、それらの動作を容易に行うことができる。
【００２５】
また、第二手すり部材４０の手すり本体４２を、円盤状としているので、例えば、四角板状等とした場合と異なり、どの方向からでも同じように手で持ったり、手をあてがって支持することができる。従って、使用性に優れ、安全性も高い。
【００２６】
本考案に係る離床支援手すり１の第二実施形態を、図６に示す。この離床支援手すり１の特徴は、第一手すり部材３０と第二手すり部材４０に加えて、上下位置調節可能に第三手すり部材５０を設けていることである。第三手すり部材５０は、第一手すり部材３０より高い位置に設けられており、よって、主として、ベッドＢのように床面より高い場所において、上体を起こす場合や寝返りを打つ場合に効果的である。
【００２７】
なお、この第三手すり部材５０は着脱自在とすることができる。例えば、敷布団Ｆで使用する場合には取り除いて第一手すり部材３０を使用し、ベッドＢで使用する場合には取り付けて使用することができる。
【００２８】
また、本実施形態における基板１０の補助板部１２には開口部１２ａを形成しており、この開口部１２ａにベッドＢの脚Ｌを位置させている。これにより、ベッドＢのあらゆる位置に設置することができるので、極めて使用性に優れる。
【図面の簡単な説明】
【００２９】
【図１】本考案の第一実施形態に係る離床支援手すりを示す斜視図である。
【図２】図１に示す離床支援手すりの側面図である。
【図３】図１に示す離床支援手すりの平面図である。
【図４】図２のＸ部を示す拡大図である。
【図５】図４のＹ−Ｙ線断面図である。
【図６】本考案の第二実施形態に係る離床支援手すりを示す斜視図である。
【図７】従来例に係る手すりを示す斜視図である。
【符号の説明】
【００３０】
１        離床支援手すり
１０      基板
１１      支持板部
１２      補助板部
１２ａ    開口部
１３      金属板
１４      クッションカバー
１５      補強部材
２０      鉛直外基筒
２１      スリット
３０      第一手すり部材
４０      第二手すり部材
４１      鉛直内筒
４２      手すり本体
５０      第三手すり部材
６０      締結具
６１      レバー
６２      安全カバー
７０      離床支援手すり
７１      基板
７２      鉛直外基筒
７３      下横枠
７４      上横枠
Ｂ        ベッド
Ｌ        ベッドの脚
Ｆ        敷布団
【図１】
0003127402.tif 000003
【図２】
0003127402.tif 000004
【図３】
0003127402.tif 000005
【図４】
0003127402.tif 000006
【図５】
0003127402.tif 000007
【図６】
0003127402.tif 000008
【図７】
0003127402.tif 000009